(57)【要約】【課題】細片に破砕されても。固形化粧料をスポンジやパフなどの化粧料に適切に付着させることが可能で、使用性を改善することができるコンパクト容器の提供を目的とする。【解決手段】収納部２を有し、回動自在に取り付けられた外蓋３で開閉される容器本体４と、細片に破砕されうる固形化粧料Ｐが充填され、かつ当該固形化粧料を化粧具で擦り取るための開口部５が形成されたレフィル容器本体６およびレフィル容器本体にその開口部を覆うべく回動自在に設けられた蓋体７とから構成され、収納部に着脱自在に収納されるレフィル容器８と、レフィル容器本体と蓋体との間に設けられ、蓋体をレフィル容器本体に係脱自在に係止する係止部９と、蓋体に、レフィル容器本体の開口部に面して形成された窓部１０と、窓部内方に張り渡され、レフィル容器本体の内方へ向かって伸展される伸縮性を有するメッシュ状カバー１１とを備える。【選択図】図１
2008188236.tif 000002
【特許請求の範囲】
【請求項１】
収納部を有し、回動自在に取り付けられた外蓋で開閉される容器本体と、細片に破砕されうる固形化粧料が充填され、かつ当該固形化粧料を化粧具で擦り取るための開口部が形成されたレフィル容器本体および該レフィル容器本体にその開口部を覆うべく回動自在に設けられた蓋体とから構成され、上記収納部に着脱自在に収納されるレフィル容器と、上記レフィル容器本体と上記蓋体との間に設けられ、該蓋体を該レフィル容器本体に係脱自在に係止する係止部と、上記蓋体に、上記レフィル容器本体の開口部に面して形成された窓部と、該窓部内方に張り渡され、上記レフィル容器本体の内方へ向かって伸展される伸縮性を有するメッシュ状カバーとを備えたことを特徴とするコンパクト容器。
【発明の詳細な説明】
【技術分野】
【０００１】
本発明は、細片に破砕されても、固形化粧料をスポンジやパフなどの化粧料に適切に付着させることが可能で、使用性を改善することができるコンパクト容器に関する。
【背景技術】
【０００２】
粉末化粧料を収納した化粧料容器に、粉末化粧料のパフへの付着操作を良好にする目的で、伸縮性のネットを展張させて設けた「粉末化粧料容器の伸縮性ネットシフタ」が知られている（特許文献１参照）。
【特許文献１】実開昭６３−１７７４０６号公報
【発明の開示】
【発明が解決しようとする課題】
【０００３】
ファンデーションやブラッシャーなどの固形化粧料の場合には、粉末化粧料の場合と異なり、スポンジやパフ、筆などの化粧具を直接擦り付けることで適度な量の化粧料を取り出すことができるため、化粧料を覆うネットを設ける必要はなかった。
【０００４】
他方、固形化粧料は、粉末化粧料とは異なり、化粧料容器の落下などで衝撃が加わると、化粧料に割れが生じて細片化するため、その後の使用に不都合が生じるという課題があった。具体的には、細片化した化粧料をそのままにして使用しようとすると、うまくスポンジ等に化粧料を付着させることができず、また細片を取り除くのでは、化粧料として使用可能であるにもかかわらず、使わないまま捨てることとなり、不経済であるという課題があった。
【０００５】
本発明は上記従来の課題に鑑みて創案されたものであって、細片に破砕されても、固形化粧料をスポンジやパフなどの化粧具に適切に付着させることが可能で、使用性を改善することができるコンパクト容器を提供することを目的とする。
【課題を解決するための手段】
【０００６】
本発明にかかるコンパクト容器は、収納部を有し、回動自在に取り付けられた外蓋で開閉される容器本体と、細片に破砕されうる固形化粧料が充填され、かつ当該固形化粧料を化粧具で擦り取るための開口部が形成されたレフィル容器本体および該レフィル容器本体にその開口部を覆うべく回動自在に設けられた蓋体とから構成され、上記収納部に着脱自在に収納されるレフィル容器と、上記レフィル容器本体と上記蓋体との間に設けられ、該蓋体を該レフィル容器本体に係脱自在に係止する係止部と、上記蓋体に、上記レフィル容器本体の開口部に面して形成された窓部と、該窓部内方に張り渡され、上記レフィル容器本体の内方へ向かって伸展される伸縮性を有するメッシュ状カバーとを備えたことを特徴とする。
【発明の効果】
【０００７】
本発明にかかるコンパクト容器にあっては、細片に破砕されても、固形化粧料をスポンジやパフなどの化粧具に適切に付着させることができ、使用性を改善することができる。
【発明を実施するための最良の形態】
【０００８】
以下に、本発明にかかるコンパクト容器の好適な一実施形態を、添付図面を参照して詳細に説明する。本実施形態にかかるコンパクト容器１は基本的には、図１〜図３に示すように、収納部２を有し、回動自在に取り付けられた外蓋３で開閉される容器本体４と、細片に破砕されうる固形化粧料Ｐが充填され、かつ当該固形化粧料Ｐを化粧具で擦り取るための開口部５が形成されたレフィル容器本体６およびレフィル容器本体６にその開口部５を覆うべく回動自在に設けられた蓋体７とから構成され、収納部２に着脱自在に収納されるレフィル容器８と、レフィル容器本体６と蓋体７との間に設けられ、蓋体７をレフィル容器本体６に係脱自在に係止する係止部９と、蓋体７に、レフィル容器本体６の開口部５に面して形成された窓部１０と、窓部１０内方に張り渡され、レフィル容器本体６の内方へ向かって伸展される伸縮性を有するメッシュ状カバー１１とを備えて構成される。
【０００９】
容器本体４は、合成樹脂材で形成され、その後端部には、容器本体４を開閉するために、鏡１２を備えた合成樹脂製の外蓋３が第１ヒンジピン１３を介して回動自在に連結される。外蓋３の前端部に形成されたフック片１４が容器本体４の前端部の凹所１５内に形成されたフック突起１６に係脱自在に係合され、これにより容器本体４は外蓋３で閉じられる。容器本体４の凹所１５には、前後動自在にプッシュピース３０が設けられる。外蓋３のフック片１４が、プッシュピース３０の押圧操作によりその内方に形成された押し上げ片３１で押し上げられることで、フック片１４とフック突起１６の係合が解除され、外蓋３が開放可能となる。
【００１０】
容器本体４内には、左右方向中央に形成された仕切り壁４ａにより、左側に収納部２が、右側に化粧具収納部２ａが左右一対で形成される。化粧具収納部２ａには、その底面にこれを貫通して換気孔１７が形成され、スポンジやパフ、筆などの化粧具が収納される。収納部２には、その前面から内方に突出された前側突出部１８ａ及びその後面から内方に突出された後側突出部１８ｂがそれぞれ設けられる。容器本体４の左端部には、収納部２の左側面上方から外方に切り込まれた切り欠き部１９が形成される。
【００１１】
収納部２には、合成樹脂製のレフィル容器８が着脱自在に収納される。レフィル容器８は、レフィル容器本体６と、レフィル容器８を開閉する蓋体７とから構成される。
【００１２】
レフィル容器本体６は、底壁部６ａと、この底壁部６ａの周縁から立ち上げられた前壁部６ｂ、後壁部６ｃ、右側壁部６ｄ及び左側壁部６ｅから構成され、その上部に、化粧料を露出させるための開口部５が形成される。レフィル容器本体６の前壁部６ｂには、その外側に前側溝２１ａが形成され、同様に後壁部６ｃには、その外側に後側溝２１ｂが形成され、前側溝２１ａには収納部２の前側突出部１８ａが、後側溝２１ｂには後側突出部１８ｂがそれぞれ係脱自在に係合されることで、レフィル容器８は容器本体４の収納部２に保持される。容器本体４の仕切り壁４ａには、窪み部２２が形成され、この窪み部２２に手指を挿入してレフィル容器８を引き上げることで、前側突出部１８ａと前側溝２１ａ及び後側突出部１８ｂと後側溝２１ｂの係合が解除され、容器本体４からレフィル容器８が取り外される。レフィル容器本体６内部には、化粧料が充填される。化粧料としては、粉末化粧料とは異なり、衝撃などが加わると細片に破砕されうる、硬く脆い性質を有する固形化粧料Ｐを対象とする。レフィル容器本体６内に充填された固形化粧料Ｐは、レフィル容器本体６の開口部５を介してこれに擦り付けられる化粧具に付着される。
【００１３】
蓋体７は、合成樹脂材で形成され、その左端に設けられたヒンジブロック２３が、レフィル容器本体６の左側壁部６ｅの上部外側に設けられた左右一対のヒンジ片２４の間に第２ヒンジピン２０を介して連結されることにより、レフィル容器本体６にその開口部５を覆うべく回動自在に連結される。蓋体７には、その右端部に右方へ突出させた鍔部２５ａが設けられ、その鍔部２５ａから一体的に垂下させて爪片２５ｂが形成される。爪片２５ｂには、レフィル容器本体６の右側壁部６ｄに向かって突出した係止突起２６が設けられ、その係止突起２６と右側壁部６ｄに形成された係止溝２７とで蓋体７をレフィル容器本体６に係脱自在に係止する係止部９が構成される。係止突起２６が係止溝２７に係止されることにより、蓋体７がレフィル容器本体６に係止される。蓋体７は、その右端部を上方より下方へ押圧操作して係止部９を係止することで、閉止され、鍔部２５ａに手指を添えて上方に引き上げることで係止部９の係止が解除されて、開放される。
【００１４】
レフィル容器８を収納部２に収納するに際し、容器本体４の切り欠き部１９にヒンジブロック２３と連結されたヒンジ片２４が収納され、容器本体４の窪み部２２に蓋体７の鍔部２５ａが収納される。蓋体７には、レフィル容器本体６の開口部５を覆うようにこれに面して、開口部５の内径寸法よりも大きく開放された窓部１０が形成される。
【００１５】
窓部１０には、メッシュ状カバー１１が張り渡されて設けられる。このメッシュ状カバー１１は窓部１０を覆うべく蓋体７に、インサート成形により一体的に、あるいは接着剤などによって取り付けられる。メッシュ状カバー１１は、伸縮自在な伸縮性を有する合成樹脂材などで形成される。具体的には例えば、極細繊維を伸び縮みするように網目状に編んだ布状材が用いられる。女性用ストッキングに用いられる薄手の合成繊維素材などが好ましい。この種の材料は、引き延ばして伸展させた状態から開放すると、縮んで元の状態に復原する弾性的性質を有する。また、メッシュの寸法は、細片の通過を妨げるように、ミクロンオーダーからミリメートルオーダーとされる。メッシュ状カバー１１は、それを形成する布状材などを二重折りにするなどして、形成されるメッシュの形状が不規則になり、またメッシュ寸法がさらに細かくなるようにしても良い。また、メッシュ状カバー１１は、多孔性ゴムシートであっても良い。
【００１６】
メッシュ状カバー１１は、適度なテンションを加えた引張状態で蓋体７に固定される。そして、メッシュ状カバー１１は、蓋体７が閉じられたときにレフィル容器本体６の開口部５全面を覆うように、レフィル容器本体６内へ向かって伸展可能に設けられる。
【００１７】
次に、本実施形態にかかるコンパクト容器１の作用について説明する。製造にあたっては、あらかじめメッシュ状カバー１１を蓋体７の窓部１０に一体的に取り付けておく。他方、レフィル容器本体６に固形化粧料Ｐを充填し、第２ヒンジピンで蓋体７をレフィル容器本体６に取り付けてレフィル容器８を完成し、係止部９によって蓋体７を閉止し、レフィル容器８を容器本体４の収納部２に収納する。使用に際しては、外蓋３を開放し、化粧具をメッシュ状カバー１１の上から擦り付けるようにする。これにより、レフィル容器８内の固形化粧料Ｐを化粧具に付着させることができる。
【００１８】
本実施形態にあっては、蓋体７がレフィル容器本体６に係止されることでメッシュ状カバー１１が開口部５を覆っている状態を維持できるので、コンパクト容器１の落下で衝撃が加わるなどして固形化粧料Ｐが破砕され、細片化したとしても、これら細片が飛び散ることを防止することができる。また、破砕された細片をそのままレフィル容器本体６内に保持することができる。メッシュ状カバー１１はレフィル容器本体６内方へ向かって伸展される伸縮性を有するので、固形化粧料Ｐが細片化してもメッシュ状カバー１１の上から化粧具を擦り付けることで適切に付着させることができ、継続して無駄なく固形化粧料Ｐを使用することができる。
【００１９】
また、本実施形態では、蓋体７がレフィル容器本体６に開閉可能に取り付けられているので、メッシュ状カバー１１を介して化粧具に固形化粧料Ｐを付着させることのみならず、係止部９を離脱し蓋体７を開放してメッシュ状カバー１１を介さずに化粧具に直接固形化粧料Ｐを付着させることにより、化粧具に付着させる固形化粧料Ｐの量を多くしたい場合などに付着量の調節ができる等、化粧の仕方に柔軟に対応できる。同様に、蓋体７を開放することで、レフィル容器本体６内部の隅々に残った固形化粧料Ｐを無駄なく使用することができる。使用を終えたときには、蓋体７を閉じ、さらに外蓋３を閉じることになる。
【００２０】
勿論、蓋体７を閉じた状態であっても、メッシュ状カバー１１は、伸展される伸縮性を有するため、化粧具を押し付ければメッシュ状カバー１１が伸びて、レフィル容器本体６内部の隅々まで化粧具を擦り付けることができ、固形化粧料Ｐを無駄なく使用することができる。また、押し付けていた化粧具をメッシュ状カバー１１から離せば、メッシュ状カバー１１は縮んで元に戻り、レフィル容器本体６の開口部５周辺の外観を美麗に維持することができる。
【００２１】
さらに、メッシュ状カバー１１を容器本体４に取り付けずレフィル容器８に取り付けているので、レフィル容器８の交換の際には、必然的にメッシュ状カバー１１も新しいものに交換されることとなる。このため、古い化粧料がメッシュ状カバー１１に残ることがなく、常に新鮮で清潔な状態が維持でき、また、継続的に長年使用した場合であっても、メッシュ状カバー１１が化粧料で目詰まりするなどの不具合が少なく使用性も良い。加えて、蓋体７が容器本体４の左方に開放されるため、蓋体７が容器本体４後方に開かれる外蓋３の鏡１２と干渉することがなく、蓋体７のメッシュ状カバー１１に付着している化粧料が飛散して鏡１２が汚れるのを防止することができ、また、化粧をする際に蓋体７が邪魔になることなく鏡１２を見ることができる。
【図面の簡単な説明】
【００２２】
【図１】本発明にかかるコンパクト容器の好適な一実施形態を示す分解斜視図である。
【図２】図１に示したコンパクト容器のレフィル容器が取り付けられた状態を示した正面断面図である。
【図３】図１に示したコンパクト容器のレフィル容器が取り外された状態を示した側断面図である。
【符号の説明】
【００２３】
１    コンパクト容器
２    収納部
３    外蓋
４    容器本体
５    開口部
６    レフィル容器本体
７    蓋体
８    レフィル容器
９    係止部
１０  窓部
１１  メッシュ状カバー
Ｐ    固形化粧料
【図１】
2008188236.tif 000003
【図２】
2008188236.tif 000004
【図３】
2008188236.tif 000005